(57)【特許請求の範囲】
【請求項１】
基板の第１位置に第１孔が形成され、前記第１孔に合わせられ、前記基板の底面に複数の濾過孔が形成されたメッシュフィルターが取り付けられ、前記基板の第２位置に第１孔より体積の小さな第２孔が形成され、前記第２孔にはメッシュフィルターが取り付けられないことを特徴とする、試料の予備評価及び細胞捕獲用チップを用いる試料の予備評価及び細胞捕獲方法であって、
前記第２孔に前記試料の一部を滴下するステップと、
前記第２孔に滴下された試料の一部の状態又は前記試料の一部の供給状態を判断するステップと、
前記判断に基づいて前記第１孔に前記試料を滴下するステップ、
を有する試料の予備評価及び細胞捕獲方法。
【請求項２】
前記第１孔より体積が小さくて前記第２孔よりは体積の大きな第３孔が、前記基板の第３位置に形成されていることを特徴とする、請求項１に記載の試料の予備評価及び細胞捕獲方法。
【請求項３】
前記第１孔、第２孔及び第３孔の直径はそれぞれ上部から下部に向かって小さくなるように形成されていることを特徴とする、請求項１または２に記載の試料の予備評価及び細胞捕獲方法。
【請求項４】
前記第２孔の内側表面は、細胞を容易に捕獲することができるように、表面コーティング処理されていることを特徴とする、請求項１に記載の試料の予備評価及び細胞捕獲方法。
【発明の詳細な説明】
【技術分野】
【０００１】
本発明は試料の状態または特性を予備的に評価し、評価結果が適合すると判断された場合、試料内の細胞を捕獲することができるチップに関する
【背景技術】
【０００２】
試料内の細胞を検査するための基本的な方法は、まず検査対象の細胞を捕獲しなければならない。細胞の捕獲はそれぞれの細胞の特性に合わせて色々な方法と様々な機器によって実行されている。
【０００３】
その例として、単一細胞の捕獲装置が特許文献１に、そして単一細胞捕獲のための技術、基板の構造及び製造方法については特許文献２に開示されている。一方、血液内に含まれている循環腫瘍細胞の捕獲のための細胞捕獲用フィルターが特許文献３に開示されている。
【先行技術文献】
【特許文献】
【０００４】
【特許文献１】韓国公開特許第１０−２０１２−００４７０２３号公報
【特許文献２】韓国公開特許第１０−２０１２−０１３０９１５号公報
【特許文献３】韓国公開特許第１０−２０１３−００６７２００号公報
【発明の概要】
【発明が解決しようとする課題】
【０００５】
本発明は、捕獲しようとする試料の状態または特性の事前予備的評価を前記試料の一部を用いて一段階で行い、評価結果が適合すると判断される場合には、次の段階に試料全体に含まれている検査対象細胞を捕獲する試料の予備評価及び細胞捕獲用チップを提供する。
【課題を解決するための手段】
【０００６】
前述したような技術的課題を達成するための本発明による試料の予備評価及び細胞捕獲用チップは、基板の第１位置に第１孔が形成され、複数の濾過孔が形成されたメッシュフィルターが前記第１孔に合わせられた状態で前記基板の底面に取り付けられ、前記基板の第２位置に第１孔より小さな第２孔が形成されていることを特徴とする。
【０００７】
好ましくは、前記基板の第３位置に、前記第１孔より小さくて前記第２孔よりは大きな第３孔が形成されている。
【発明の効果】
【０００８】
本発明による試料の予備評価及び細胞捕獲用チップは、少量の試料のみで試料の状態または特性を予備的に評価できるので、試料の適合性を速かに判断できる効果を奏する。これにより、試料が適合しない場合には、試料全体を新たな試料に変更するか、あるいは、試料が適合するように別の追加的な措置をとることができる。したがって、試料全体が適合しない場合、試料全体を捕獲する工程を実行しないことが可能なので、適合しない試料であることを認知することができずに細胞の捕獲工程を実行することで試料全体を無駄に廃棄しなくても良く、試料が適合する場合には、次の段階にすぐ移行して試料内の細胞を捕獲することができる。
【図面の簡単な説明】
【０００９】
【図１】（ａ）及び（ｂ）はそれぞれ、本発明による試料の予備評価及び細胞捕獲用チップの上部と底部から見た斜視図である。
【図２】（ａ）及び（ｂ）はそれぞれ、図１（ａ）に示した線Ａ−Ａ’及び線Ｂ−Ｂ’についての部分切開断面図である。
【図３】（ａ）及び（ｂ）はそれぞれ、本発明による試料の予備評価及び細胞捕獲用チップの他の実施例を示す平面図である。
【発明を実施するための形態】
【００１０】
本発明のその他の目的、特定の利点及び新規の特徴は添付図面を参照する以下の詳細な説明及び好適な実施例からより明らかになるであろう。
【００１１】
以下では、本発明による試料の予備評価及び細胞捕獲用チップの実施例を添付図面に基づいて詳細に説明する。
【００１２】
図１（ａ）〜図２（ｂ）を参照すれば、本発明による試料の予備評価及び細胞捕獲用チップは胴体として四角形基板１０から製作される。
【００１３】
基板１０の中央には第１孔１２が形成されている。第１孔１２の直径は上部から下部へ向かって小さくなる。第１孔１２の内面は曲面形状をとる。第１孔１２の下部にはメッシュフィルター１３が合わせられた状態で基板１０の底面に固定して取り付けられている。メッシュフィルター１３には試料内の細胞を濾過できる大きさを持つ複数の濾過孔１３ａが形成されている。
【００１４】
図１の（ａ）を基準にして、第１孔１２の右側には第２孔１４、第１孔１２の左側には第３孔１６が形成されている。第２孔１４及び第３孔１６は第１孔１２より小さく、第３孔１６は第２孔１４より大きい。
【００１５】
第２孔１４及び第３孔１６の直径は、第１孔１２と同様に、上部から下部へ向かって小さくなる。第２孔１４及び第３孔１６の内面は曲面形状をとる。第２孔１４及び第３孔１６の底面には、図示されていないが、第１孔１２の底面と同様に、メッシュフィルターが取り付けられてよく、試料内の細胞を捕獲するために表面に抗体または試薬などがコーティングされてもよい。
【００１６】
本発明の他の実施例において、孔の大きさ、位置、個数などは、試料の特性または捕獲しようとする細胞の特性に合わせて必要に応じて選択されてよい。図３（ａ）及び（ｂ）は本発明による試料の予備評価及び細胞捕獲用チップの他の例を示す。
【００１７】
以降では、前述したような構成を持つ本発明による試料の予備評価及び細胞捕獲用チップの作用について説明する。
【００１８】
まず、捕獲しようとする細胞を含む試料が保存されている供給器が用いられる。試料または細胞がその特性によって孔の大きさに適合するように、第２孔１４または第３孔１６に少量の試料が滴下される。試料の流動性などの供給状態と、第２孔１４または第３孔１６に滴下された試料の状態などが予備的に判断される。
【００１９】
予備的な判断によって、試料の状態または特性が適合しない場合には、試料全体を他の新たな試料に変更するか、あるいは、試料の流動性などを良くするために、試料の濃度を調節してさらに予備的な段階が行われる。予備的判断の結果、試料が適合した場合には、試料内の細胞を全量捕獲するために、第１孔１２に全体試料を供給する。第１孔１２に進入して供給される試料中の液体及び微細粒子はメッシュフィルター１３の濾過孔１３ａを通過し、捕獲対象である濾過孔１３ａの大きさ以上の細胞は濾過孔１３ａを通過せずに濾過されて捕獲される。
【００２０】
以上説明した実施例は本発明の好適な実施例を説明したものに過ぎなく、本発明の権利範囲は前述した実施例に限定されるものではなく、本発明の技術的思想及び特許請求範囲内で当該分野の当業者によって多様な変更、変形または置換が可能であり、そのような実施例は本発明の範疇に属するものと理解されなければならない。
【符号の説明】
【００２１】
１０    基板
１２    第１孔
１３    メッシュフィルター
１３ａ    濾過孔
１４    第２孔
１６    第３孔
【図１】
0006412126.tif 000002
【図２】
0006412126.tif 000003
【図３】
0006412126.tif 000004